【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
複数の処理モジュールと、
オプション処理ユニットがオプションで接続されるコネクタと、
バス切換手段を有する情報処理装置であって、
前記バス切換手段は、
データを受信する前に、データが前記複数の処理モジュールを経由するデータ経路を設定するための設定信号を受信し、前記受信した設定信号に基づいて、前記複数の処理モジュールをデータが経由するデータ経路を設定するものであって、
前記受信した設定信号が第１種の信号の場合、データが前記複数の処理モジュールだけでなく前記オプション処理ユニットも経由する第１種のデータ経路をデータ経路として設定し、
前記受信した設定信号が第２種の信号の場合、データが前記コネクタを経由せず前記複数の処理モジュールを経由する第２種のデータ経路をデータ経路として設定し、
データは、第１種のデータ経路内のコネクタを介してオプション処理ユニットに入出力される、
ことを特徴とする情報処理装置。
【請求項２】
前記オプション処理ユニットがコネクタに接続されたとき、
前記コネクタを経由せずにデータが前記複数の処理モジュールを経由する第２種のデータ経路を設定するための第１の信号が設定信号として送信される
ことを特徴とする請求項１に記載の情報処理装置。
【請求項３】
前記第１の信号は、前記オプション処理ユニットから前記バス切換手段に送信される
ことを特徴とする請求項２に記載の情報処理装置。
【請求項４】
前記第１の信号は、前記データ経路とは異なる経路を通して前記オプション処理ユニットから送信される
ことを特徴とする請求項２に記載の情報処理装置。
【請求項５】
前記オプション処理ユニットからの第２の信号を検出すると、前記第１の設定信号を生成して前記バス切換手段に送信する生成手段をさらに備える、
ことを特徴とする請求項２に記載の情報処理装置。
【請求項６】
前記第２の信号は前記バス切換手段に送信される、
ことを特徴とする請求項５に記載の情報処理装置。
【請求項７】
前記第２の信号はクロック信号である、
ことを特徴とする請求項６に記載の情報処理装置
【請求項８】
前記データ経路を設定するための設定信号を送信するための設定信号線をさらに有し、該設定信号線は、データが前記複数の処理モジュールを経由するデータ経路とは異なることを特徴とする請求項１に記載の情報処理装置
【請求項９】
前記データ経路は、データが各処理モジュールを少なくとも１回経由するデータ経路である
ことを特徴とする請求項１に記載の情報処理装置。
【請求項１０】
前記設定信号線は、バス切換手段に接続されている
ことを特徴とする請求項８に記載の情報処理装置。
【請求項１１】
前記バス切換手段は、前記複数の処理モジュールを経由するデータを受信する前に、前記設定信号線を介して前記設定信号を受信する
ことを特徴とする請求項１０に記載の情報処理装置。
【請求項１２】
データが前記データ経路上に送信される前に、前記バス切換手段はデータ経路を設定するための前記設定信号を受信する
ことを特徴とする請求項１に記載の情報処理装置。
【請求項１３】
前記バス切換手段は、前記設定信号に基づいて前記データ経路が設定された後に前記データを受信し、設定されたデータ経路に従って前記受信したデータを次の送信先に送信する
ことを特徴とする請求項１に記載の情報処理装置。
【請求項１４】
前記第１種のデータ経路および前記第２種のデータ経路のそれぞれにおいて、前記複数の処理モジュールのうちの前記第１の処理モジュールにより次の送信先に送信されたデータは、前記複数の処理モジュールのうちの少なくとも他の前記処理モジュールを経て前記第１の処理モジュールに返される
ことを特徴とする請求項１に記載の情報処理装置。
【請求項１５】
前記第１種のデータ経路において、前記第１の処理モジュールによって次の送信先に送信されたデータは、他の前記処理モジュールおよび前記オプション処理ユニットを経由した後に第１の処理モジュールに返送され、
前記第２種のデータ経路において、前記第１の処理モジュールによって次の送信先に送信されたデータは、前記オプション処理ユニットを介さずに他の前記処理モジュールを経由した後に前記第１の処理モジュールに返送される、
ことを特徴とする請求項１４に記載の情報処理装置。
【請求項１６】
前記処理モジュール及び前記オプション処理ユニットはそれぞれ画像データを処理することを特徴とする請求項１に記載の情報処理装置。
【請求項１７】
前記設定されたデータ経路はリングバスである
ことを特徴とする請求項１に記載の情報処理装置。
【請求項１８】
前記複数の処理モジュールのうちの１つは、前記設定されたデータ経路に入力されるべきデータを受信し、前記設定されたデータ経路から出力されるべきデータを受信する
ことを特徴とする請求項１に記載の情報処理装置。
【請求項１９】
前記設定されたデータ経路に従って前記複数の処理モジュールを経由したデータは、印刷される
ことを特徴とする請求項１に記載の情報処理装置。
【請求項２０】
情報処理装置が有する複数の処理モジュールをデータが経由するデータ経路の設定方法であって、
データを受信する前に、前記複数の処理モジュールを経由するデータ経路を設定するための設定信号を受信する設定信号受信ステップと、
受信した設定信号が第１種の信号である場合、前記複数の処理モジュールだけでなくオプションとして搭載されているオプション処理モジュールもデータが経由する第１種のデータ経路と、
受信した設定信号が第２種の信号である場合、前記オプション処理モジュールが接続されるコネクタを経由せずに、前記複数の処理モジュールをデータが経由する第２種のデータ経路とを、
受信した設定信号に基づいてデータ経路に設定するデータ経路設定ステップと、
データ経路の設定後にデータを受信するデータ受信ステップ
を有することを特徴とするデータ経路の設定方法。
【請求項２１】
受信データは、設定された前記第１種のデータ経路に従って前記複数の処理モジュールだけでなく前記オプション処理モジュールも経由し、
受信データは、設定された前記第２種のデータ経路に従って前記複数の処理モジュールは経由するが前記コネクタを経由しない、
ことを特徴とする請求項２０に記載のデータ経路の設定方法。
【請求項２２】
前記設定されたデータ経路は、リングバスである
ことを特徴とする請求項２０に記載のデータ経路の設定方法。
【請求項２３】
前記複数の処理モジュールのうちの１つは、前記設定されたデータ経路に入力されるべきデータを受信し、前記設定されたデータ経路から出力されるべきデータを受信する
ことを特徴とする請求項２０に記載のデータ経路の設定方法。
【請求項２４】
前記複数の処理モジュールのうちの１つは、
前記設定されたデータ経路に入力されるべき受信データを前記設定されたデータ経路内の次の処理モジュールに送信し、
前記設定されたデータ経路から出力されるべき受信データを前記設定されたデータ経路内の処理モジュールと異なる別の処理モジュールに送信する
ことを特徴とする請求項２３に記載のデータ経路の設定方法。
【請求項２５】
前記複数の処理モジュールは、情報処理装置の画像処理部に含まれる
ことを特徴とする請求項２０に記載のデータ経路の設定方法。
【請求項２６】
前記設定されたデータ経路に従って前記複数の処理モジュールを経由したデータは、印刷される
ことを特徴とする請求項２０に記載のデータ経路の設定方法。
【手続補正２】
【補正対象書類名】明細書
【補正対象項目名】０００５
【補正方法】変更
【補正の内容】
【０００５】
本発明は、複数の処理モジュールと、オプション処理ユニットがオプションで接続されるコネクタと、バス切換手段を有する情報処理装置であって、前記バス切換手段は、データを受信する前に、データが複数の処理モジュールを経由するデータ経路を設定するための設定信号を受信し、前記受信した設定信号に基づいて、前記複数の処理モジュールをデータが経由するデータ経路を設定するものであって、前記受信した設定信号が第１種の信号の場合、データが前記複数の処理モジュールだけでなく前記オプション処理ユニットも経由する第１種のデータ経路をデータ経路として設定し、前記受信した設定信号が第２種の信号の場合、データが前記コネクタを経由せず前記複数の処理モジュールを経由する第２種のデータ経路をデータ経路として設定し、データは、第１種のデータ経路内のコネクタを介してオプション処理ユニットに入出力される、ことを特徴とする。